(57)【要約】【課題】ＴＶ受像機において、複数の放送局から配信されるＥＰＧ情報の取得を迅速に行う。【解決手段】ＤＶＤレコーダと接続されているＴＶ受像機は、受信可能な全てのチャンネル（ＣＨ）のＥＰＧ情報を取得していない場合（Ｓ３でＮＯ）、ＤＶＤレコーダがＥＰＧ情報を取得可能な状態であるか否かを判断する（Ｓ４）。そして、取得可能な状態である場合（Ｓ５でＹＥＳ）、ＴＶ受像機は、未取得であるＣＨの中から、取得を要求するＣＨを選定し（Ｓ６）、ＤＶＤレコーダに対して、ＥＰＧ情報を取得する旨の番組情報送信要求コマンドを送信する（Ｓ７）。番組情報送信要求コマンドを受信したＤＶＤレコーダは、このコマンドに対応したＣＨのＥＰＧ情報を取得し（Ｓ８）、ＴＶ受像機に送信する（Ｓ９）。そして、ＴＶ受像機は、ＤＶＤレコーダからＥＰＧ情報を取得し、全てのＣＨのＥＰＧ情報を取得した場合（Ｓ１１でＹＥＳ）、本処理を終了する。【選択図】図４
2010263565.tif 000002
【特許請求の範囲】
【請求項１】
テレビジョン（以下、ＴＶという）番組を案内する番組情報を取得可能なＡＶ機器と接続され、
放送局から配信される番組情報を取得する番組情報取得手段と、
装置各部を制御する制御手段とを備えるテレビジョン受像機において、
前記ＡＶ機器が取得した番組情報を自装置に送信するように、該ＡＶ機器に対して要求するための番組情報送信要求命令を送信する番組情報要求送信手段と、
前記番組情報送信要求命令に応じて前記ＡＶ機器から送信された番組情報を受信するための番組情報受信手段とをさらに備え、
前記制御手段は、複数の放送局から配信される各番組情報を取得するときに、前記番組情報取得手段を用いて番組情報を取得すると共に、前記番組情報要求送信手段を用いて前記ＡＶ機器に対して前記番組情報送信要求命令を送信した後に、前記機器情報受信手段によって前記ＡＶ機器が取得した番組情報を受信することにより番組情報を取得することを特徴とするテレビジョン受像機。
【請求項２】
前記制御手段は、複数の放送局から配信される各番組情報を取得するときに、未取得の番組情報があるとき、未取得の番組情報を自装置に送信するように、前記ＡＶ機器に対して前記番組情報送信要求命令を送信することを特徴とする請求項１に記載のテレビジョン受像機。
【請求項３】
前記ＡＶ機器と、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）規格に従って通信を行うことを特徴とする請求項１又は請求項２に記載のテレビジョン受像機。
【発明の詳細な説明】
【技術分野】
【０００１】
本発明は、ＥＰＧ情報を取得するテレビジョン受像機に関する。
【背景技術】
【０００２】
近年、放送局から配信されるテレビジョン（以下、ＴＶという）放送信号に含まれるＥＰＧ（Ｅｌｅｃｔｒｏｎｉｃ  Ｐｒｏｇｒａｍ  Ｇｕｉｄｅ）情報を取得可能なＴＶ受像機が普及している（例えば、特許文献１参照）。ところで、フランス等の放送局は、自放送局から配信されるＴＶ番組のＥＰＧ情報のみしか配信しない。その場合、従来のＴＶ受像機では、ユーザによって選局された放送局（チャンネル）のＥＰＧ情報しか取得することができないので、例えばユーザが他チャンネルを選局しない限り、他チャンネルのＥＰＧ情報を取得することができない。また、全チャンネルのＴＶ放送信号を自動的に受信して、全チャンネルのＥＰＧ情報を取得するＴＶ受像機もあるが、このＴＶ受像機では、全チャンネルのＥＰＧ情報を取得するのに時間がかかるという問題がある。
【０００３】
これに対して、例えば、特許文献２及び３には、ＴＶ受像機とケーブルを介して接続された他の機器がＥＰＧ情報を取得し、取得したＥＰＧ情報を、ケーブルを介して送信することによりＴＶ受像機がＥＰＧ情報を取得することができるシステムが開示されている。この種のシステムでは、ＴＶ受像機がＥＰＧ情報を取得できない状況であっても、全てのチャンネルのＥＰＧ情報を最新の状態に更新することが可能である。しかしながら、この種のＴＶ受像機でも、上記の様に自局のＴＶ番組のＥＰＧ情報のみしか配信しない場合、全チャンネルのＥＰＧ情報を取得するのに時間がかかる。
【０００４】
また、特許文献４には、ＴＶ受像機が外部チューナと通信することにより、外部チューナが受信可能なＥＰＧ情報を取得し、取得したＥＰＧ情報を表示可能であるＴＶ受像機が開示されている。しかしながら、この種のＴＶ受像機では、全てのチャンネルのＥＰＧ情報を取得するものではないため、上記問題を解決できない。
【先行技術文献】
【特許文献】
【０００５】
【特許文献１】特開２００９−１０８９２号公報
【特許文献２】特開２００９−１６９１１号公報
【特許文献３】特開２００８−７９１２５号公報
【特許文献４】特開２００８−６１０６５号公報
【発明の概要】
【発明が解決しようとする課題】
【０００６】
本発明は、上述した問題点を解決するためになされたものであり、複数の放送局から配信される（複数のチャンネルの）ＥＰＧ情報の取得を迅速に行うことができるＴＶ受像機を提供することを目的とする。
【課題を解決するための手段】
【０００７】
上記目的を達成するために請求項１の発明は、テレビジョン（以下、ＴＶという）番組を案内する番組情報を取得可能なＡＶ機器と接続され、放送局から配信される番組情報を取得する番組情報取得手段と、装置各部を制御する制御手段とを備えるテレビジョン受像機において、前記ＡＶ機器が取得した番組情報を自装置に送信するように、該ＡＶ機器に対して要求するための番組情報送信要求命令を送信する番組情報要求送信手段と、前記番組情報送信要求命令に応じて前記ＡＶ機器から送信された番組情報を受信するための番組情報受信手段とをさらに備え、前記制御手段は、複数の放送局から配信される各番組情報を取得するときに、前記番組情報取得手段を用いて番組情報を取得すると共に、前記番組情報要求送信手段を用いて前記ＡＶ機器に対して前記番組情報送信要求命令を送信した後に、前記機器情報受信手段によって前記ＡＶ機器が取得した番組情報を受信することにより番組情報を取得するものである。
【０００８】
請求項２に記載の発明は、請求項１に記載のテレビジョン受像機において、前記制御手段は、複数の放送局から配信される各番組情報を取得するときに、未取得の番組情報があるとき、未取得の番組情報を自装置に送信するように、前記ＡＶ機器に対して前記番組情報送信要求命令を送信するものである。
【０００９】
請求項３に記載の発明は、請求項１又は請求項２に記載のテレビジョン受像機において、前記ＡＶ機器と、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）規格に従って通信を行うものである。
【発明の効果】
【００１０】
請求項１の発明によれば、複数の放送局から配信される各番組情報を取得するときに、自装置で番組情報を取得すると共に、ＡＶ機器から番組情報を取得することができるため、複数の放送局から配信される各番組情報の全てを迅速に取得することができる。
【００１１】
請求項２の発明によれば、自装置が未取得である番組情報を自装置に送信するように、ＡＶ機器に対して番組情報送信要求命令を送信するので、複数の放送局から配信される各番組情報をさらに迅速に受信することができる。
【図面の簡単な説明】
【００１２】
【図１】本発明の一実施形態に係るＴＶ受像機と、このＴＶ受像機に接続されたＤＶＤレコーダとを示す概略構成図。
【図２】上記ＴＶ受像機の内部構成を示すブロック図。
【図３】上記ＤＶＤレコーダの内部構成を示すブロック図。
【図４】上記ＴＶ受像機におけるＥＰＧ情報の取得処理の手順を示すフローチャート。
【発明を実施するための最良の形態】
【００１３】
以下、本発明の一実施形態に係るテレビジョン（以下、ＴＶ）受像機について、図１乃至図３を参照して説明する。図１は、ＴＶ受像機１と、このＴＶ受像機１にＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブル３を介して接続されたＤＶＤレコーダ２（ＡＶ機器）との外観を示す。図２は、ＴＶ受像機１の内部構成を示し、図３は、ＤＶＤレコーダ２の内部構成を示す。
【００１４】
ＴＶ受像機１及びＤＶＤレコーダ２は、それぞれ放送局から配信されるＴＶ放送信号に含まれるＥＰＧ（Ｅｌｅｃｔｒｏｎｉｃ  Ｐｒｏｇｒａｍ  Ｇｕｉｄｅ）情報を取得可能な機器である。また、ＴＶ受像機１及びＤＶＤレコーダ２は、ＨＤＭＩ規格におけるＣＥＣ（Ｃｏｎｓｕｍｅｒ  Ｅｌｅｃｔｒｏｎｉｃｓ  Ｃｏｎｔｒｏｌ；ＨＤＭＩで規格化されている装置間相互制御を行う機能）に対応した装置であり、それぞれＨＤＭＩ−ＣＥＣ規格に基く制御コマンド（コマンドとレスポンス）を送受信可能である。ＤＶＤレコーダ２は、この制御コマンドに対応した動作情報に基いて自装置の動作を行う。
【００１５】
図２に示すように、ＴＶ受像機１は、放送局から放送されるＴＶ放送信号を受信するチューナ１１と、ＴＶ番組等のコンテンツの映像を表示するディスプレイ１２と、コンテンツの音声を出力するスピーカ１３と、リモコン装置４から送信されたリモコン信号を受信するリモコン信号受信部１４とを備える。また、ＴＶ受像機１は、ＴＶ受像機１の筐体外部に露出するように設けられたＨＤＭＩ端子部１５と、各種情報が記憶されるメモリ１６と、ＴＶ受像機１の各部を制御するための制御用マイコン（制御手段）１７とをさらに備える。
【００１６】
ＨＤＭＩ端子部１５には、ＤＶＤレコーダ２と接続されたＨＤＭＩケーブル３の一端が接続される。メモリ１６には、制御用マイコン１７を動作させるためのプログラム１６ａと、放送局から受信したＥＰＧ情報１６ｂとが記憶される。
【００１７】
制御用マイコン１７は、映像出力部１７ａと、音声出力部１７ｂと、ＥＰＧ情報取得部（番組情報取得手段）１７ｃと、ＣＥＣコマンド送受信部（番組情報要求送信手段、番組情報受信手段）１７ｄとを有する。
【００１８】
映像出力部１７ａは、チューナ１１によって受信されたＴＶ番組の映像や、ＨＤＭＩケーブル３を介してＤＶＤレコーダ２から送信されたＴＶ番組の映像をディスプレイ１２に出力する。音声出力部１７ｂは、チューナ１１によって受信されたＴＶ番組や、ＨＤＭＩケーブル３を介してＤＶＤレコーダ２から送信されたＴＶ番組の音声をスピーカ１３に出力する。ＥＰＧ情報取得部１７ｃは、チューナ１１によって受信されたＴＶ放送信号に含まれるＥＰＧ情報を取得する。
【００１９】
ＣＥＣコマンド送受信部１７ｄは、ＤＶＤレコーダ２に対して制御コマンドの送受信を行うものである。具体的には例えば、ＣＥＣコマンド送受信部１７ｄはＤＶＤレコーダ２に対して、ＤＶＤレコーダ２が取得したＥＰＧ情報をＴＶ受像機１に送信するように要求するための制御コマンド（以下、番組情報送信要求コマンドという；請求項における番組情報送信要求命令）を送信することができる。また、ＣＥＣコマンド送受信部１７ｄは、番組情報送信要求コマンドに応じてＤＶＤレコーダ２から送信されたＥＰＧ情報を、ＤＶＤレコーダ２からのレスポンスと共に受信することができる。送受信に用いられるコマンドとレスポンスは、ＨＤＭＩ−ＣＥＣ規格に基づくコマンドである。
【００２０】
図３に示すように、ＤＶＤレコーダ２は、放送局から放送されるＴＶ放送信号を受信するチューナ２１と、ユーザによって操作されるボタン等を有する操作部２２と、ＤＶＤレコーダ２の筐体外部に露出するように設けられたＨＤＭＩ端子部２３とを備える。また、ＤＶＤレコーダ２は、各種情報が記憶されるメモリ２４と、ＤＶＤディスクｄが装着される光ディスクドライブ２５と、ＤＶＤレコーダ２の装置各部の制御を行う制御用マイコン２６とをさらに備える。
【００２１】
ＨＤＭＩ端子部２３には、ＴＶ受像機１と接続されたＨＤＭＩケーブル３の他端が接続される。メモリ２４は、制御用マイコン２６を動作させるためのプログラム２４ａと、放送局から受信したＥＰＧ情報２４ｂとが記憶される。
【００２２】
光ディスクドライブ２５は、ＴＶ番組等のコンテンツを記録可能なＤＶＤディスクｄが内部に装着され、ＤＶＤディスクｄからのコンテンツの読み出しや、ＤＶＤディスクｄに対するコンテンツの書込みを行う。
【００２３】
制御用マイコン２６は、再生処理部２６ａと、録画処理部２６ｂと、ＥＰＧ情報取得部２６ｃと、ＣＥＣコマンド送受信部２６ｄとを有し、ユーザによる操作部２２の操作に基く動作や、ＴＶ受像機２から受信した制御コマンドに対応する動作を行う。
【００２４】
再生処理部２６ａは、チューナ２１によって受信されたＴＶ番組や、光ディスクドライブ２５によってＤＶＤディスクｄから読み出されたＴＶ番組等のコンテンツの再生を行い、再生されたコンテンツの映像信号及び音声信号をＨＤＭＩケーブル３を介してＴＶ受像機１に出力する処理を行う。録画処理部２６ｂは、チューナ２１から受信されたＴＶ番組をＤＶＤディスクｄに録画する録画処理を行う。
【００２５】
ＥＰＧ情報取得部２６ｃは、チューナ２１によって受信されたＴＶ放送信号に含まれるＥＰＧ情報を取得する。
【００２６】
ＣＥＣコマンド送受信部２６ｄは、ＴＶ受像機１に対して制御コマンド（コマンドとレスポンス）の送受信を行う。具体的には例えば、ＴＶ受像機１から番組情報送信要求コマンドを受信したり、番組情報送信要求コマンドの内容に基づき、ＥＰＧ情報取得部２６ｃによって取得したＥＰＧ情報とレスポンスをＴＶ受像機１に送信したりする。
【００２７】
次に、ＴＶ受像機１によるＥＰＧ情報の取得処理について、図４に示すフローチャートを参照して説明する。ここでは、予め、ＴＶ受像機１とＤＶＤレコーダ２とがＨＤＭＩケーブル３を介して接続されているものとする。また、各放送局から配信されるＴＶ放送信号をそれぞれチャンネル（以下、ＣＨと示す）という。
【００２８】
ＴＶ受像機１の制御用マイコン１７は、チューナ１１を用いて選局することにより、各ＣＨのＥＰＧ情報のうち、未取得のＥＰＧ情報を取得し（Ｓ１）、取得したＥＰＧ情報をメモリ１６内のＥＰＧ情報１６ｂに記憶する（Ｓ２）。そして、受信可能な全てのＣＨのＥＰＧ情報を取得した場合（Ｓ３でＹＥＳ）、処理を終了する。
【００２９】
一方、受信可能な全てのＣＨのＥＰＧ情報を取得していない場合（Ｓ３でＮＯ）、制御用マイコン１７は、ＤＶＤレコーダ２がＥＰＧ情報を取得可能な状態であるか否かを判断する（Ｓ４）。具体的には、例えば、制御用マイコン１７が、ＨＤＭＩケーブル３を介してＤＶＤレコーダ２に対して、ＥＰＧ情報を取得可能な状態であるか否かを問い合わせる制御コマンドを送信し、このコマンドを受信したＤＶＤレコーダ２が自装置の状態を示すレスポンスをＴＶ受像機１に対して返信する。そして、ＴＶ受像機１の制御用マイコン１７が、返信されたレスポンスの内容に基づいてＤＶＤレコーダ２の状態を判断する。なお、制御用マイコン１７が、ＤＶＤレコーダ２に対して上記問合せの制御コマンドを送信した後、一定時間が経過するまでにＤＶＤレコーダ２から返信がない場合、ＤＶＤレコーダ２の電源がオフにされている等の状態であり、ＥＰＧ情報を取得可能な状態でないと判断してもよい。
【００３０】
そして、上記Ｓ４の判断の結果、ＤＶＤレコーダ２がＥＰＧ情報を取得可能な状態である場合（Ｓ５でＹＥＳ）、ＴＶ受像機１の制御用マイコン１７は、ＥＰＧ情報が未取得であるＣＨの中から、ＤＶＤレコーダ２に対して取得を要求するＣＨを選定する（Ｓ６）。具体的には例えば、上記Ｓ１の処理において取得したＣＨの、次のＣＨのＥＰＧ情報を取得するように選定する。そして、制御用マイコン１７は、ＣＥＣコマンド送受信部１７ｄを用いて、ＤＶＤレコーダ２に対して、上記Ｓ１６で選定したＣＨのＥＰＧ情報を取得する旨の番組情報送信要求コマンドをＤＶＤレコーダ２に送信する（Ｓ７）。
【００３１】
そして、番組情報送信要求コマンドを受信したＤＶＤレコーダ２は、このコマンドに基づくＣＨを選局（このＣＨのＴＶ放送信号を受信）して、このＥＰＧ情報を取得し（Ｓ８）、取得したＥＰＧ情報をＴＶ受像機１に送信する（Ｓ９）。
【００３２】
そして、ＴＶ受像機１の制御用マイコン１７は、ＤＶＤレコーダ２から受信したＥＰＧ情報を、メモリ１６のＥＰＧ情報１６ｂに記憶し（Ｓ１０）、全てのＣＨのＥＰＧ情報を取得した場合（Ｓ１１でＹＥＳ）、本処理を終了する。一方、全てのＣＨのＥＰＧ情報を取得していない場合（Ｓ１１でＮＯ）、上記Ｓ１以降の処理を繰り返す。
【００３３】
上述したように、本実施形態に係るＴＶ受像機１によれば、複数の放送局から配信される各ＥＰＧ情報を取得するときに、自装置でＥＰＧ情報を取得すると共に、ＤＶＤレコーダ２からＥＰＧ情報を取得することができるため、複数の放送局から配信される各ＥＰＧ情報の全てを迅速に取得することができる。
【００３４】
また、ＴＶ受像機１によれば、未取得のＥＰＧ情報を自装置に送信するように、ＤＶＤレコーダ２に対して番組情報送信要求コマンドを送信するので、複数の放送局から配信される各ＥＰＧ情報の全てをさらに迅速に取得することができる。
【００３５】
また、ＴＶ受像機１とＤＶＤレコーダ２とは、ＣＥＣ規格に従って制御コマンドの送受信を行うので、独自プロトコルに対応した専用機器や専用ソフトウェア等の導入コストをかける必要がない。従って、ＴＶ受像機１の製造コストを低減させることができる。
【００３６】
なお、本発明は、上記実施形態の構成に限られず、発明の趣旨を変更しない範囲で種々の変形が可能である。例えば、上記の実施形態において、請求項に示すＡＶ機器がＤＶＤレコーダ２である例を示したが、ＥＰＧ情報を取得可能なＡＶ機器であればよい。
【符号の説明】
【００３７】
１  ＴＶ受像機
２  ＤＶＤレコーダ（ＡＶ機器）
１７  制御用マイコン（制御手段）
１７ｃ  ＥＰＧ情報取得部（番組情報取得手段）
１７ｄ  ＣＥＣコマンド送受信部（番組情報要求送信手段、番組情報受信手段）
【図１】
2010263565.tif 000003
【図２】
2010263565.tif 000004
【図３】
2010263565.tif 000005
【図４】
2010263565.tif 000006